(57)【要約】【課題】プロトコルデータユニットを形成し、該形成されたプロトコルデータユニットを予め決定されたフォーマットに変換し、該変換されたプロトコルデータユニットをディスプレイすることにより、別途の検出装置なしでリアルタイムに移動通信端末機の問題点を把握できる移動通信端末機のデバッギング装置及びその方法を提供する。【解決手段】移動通信端末機のデバッギング装置は、使用者により選択的に形成されたプロトコルデータユニットを予め決定されたフォーマットに変換し、前記変換されたプロトコルデータユニットをディスプレイする移動通信端末機１０と、前記移動通信端末機１０に連結され、前記ディスプレイされたプロトコルデータユニットに基づいて前記移動通信端末機１０をデバッギングするコンピュータ２０とを含む。【選択図】図１
2006195965.tif 000002
【特許請求の範囲】
【請求項１】
使用者により選択的に形成されたプロトコルデータユニットを予め決定されたフォーマットに変換し、該変換したプロトコルデータユニットをディスプレイする移動通信端末機と、
前記移動通信端末機に連結され、前記ディスプレイされたプロトコルデータユニットに基づいて前記移動通信端末機をデバッギングするコンピュータと、
を含むことを特徴とする移動通信端末機のデバッギング装置。
【請求項２】
前記移動通信端末機は、
前記プロトコルデータユニットを予め決定された方法で圧縮し、該圧縮したプロトコルデータユニットを予め決定されたフォーマットに変換する変換部と、
前記変換されたプロトコルデータユニットをディスプレイ装置に出力する出力部と、
前記変換部及び前記出力部を制御する制御部と、
を含むことを特徴とする請求項１に記載の移動通信端末機のデバッギング装置。
【請求項３】
前記予め決定されたフォーマットは、前記移動通信端末機のディスプレイ装置にディスプレイするのに適したフォーマットであることを特徴とする請求項２に記載の移動通信端末機のデバッギング装置。
【請求項４】
前記移動通信端末機は、携帯電話又はＰＤＡ（Personal Digital Assistant）であることを特徴とする請求項２に記載の移動通信端末機のデバッギング装置。
【請求項５】
前記ディスプレイ装置は、ＬＣＤ（Liquid Crystal Display）であることを特徴とする請求項３に記載の移動通信端末機のデバッギング装置。
【請求項６】
前記移動通信端末機と前記コンピュータとは、ＲＳ−２３２Ｅケーブルを介して連結されることを特徴とする請求項１に記載の移動通信端末機のデバッギング装置。
【請求項７】
移動通信端末機のプロトコルスタックから１つのプロトコル階層を選択する段階と、
前記選択されたプロトコル階層のプロトコルデータユニットを形成する段階と、
前記形成されたプロトコルデータユニットを予め決定された方法で圧縮し、該圧縮したプロトコルデータユニットを予め決定されたフォーマットに変換する段階と、
前記変換されたプロトコルデータユニットをディスプレイする段階と、
前記ディスプレイされたプロトコルデータユニットに基づいて前記移動通信端末機をデバッギングする段階と、
を含むことを特徴とする移動通信端末機のデバッギング方法。
【請求項８】
前記予め決定されたフォーマットは、前記移動通信端末機のディスプレイ装置にディスプレイするのに適したフォーマットであることを特徴とする請求項７に記載の移動通信端末機のデバッギング方法。
【請求項９】
前記ディスプレイ装置は、ＬＣＤであることを特徴とする請求項８に記載の移動通信端末機のデバッギング方法。
【請求項１０】
前記移動通信端末機は、携帯電話又はＰＤＡであることを特徴とする請求項７に記載の移動通信端末機のデバッギング方法。
【発明の詳細な説明】
【技術分野】
【０００１】
本発明は、移動通信端末機に関し、特に、別途の検出装置なしでリアルタイムに移動通信端末機の問題点を把握できる移動通信端末機のデバッギング装置及びその方法に関する。
【背景技術】
【０００２】
一般に、移動通信端末機は、携帯電話や携帯用個人情報端末機（Personal Digital Assistant；ＰＤＡ）などのように移動性を有するものを総称し、手に持って携帯するので軽くて小さいことが特徴である。しかしながら、このような移動通信端末機は、入力装置及びディスプレイ装置としての機能が劣り、拡張性が足りないだけでなく、電力供給が円滑でないという弱点がある。
【０００３】
最近、このような移動通信端末機をインターネットに接続して、入出金などの銀行業務を行うモバイルバンキング、オンラインゲームをするモバイルゲーム、映画をリアルタイムに見るモバイル映画など、多様なサービスが提供されており、携帯電話、ＰＤＡ及びノートブックコンピュータなどの長所を適用した多様な製品が開発されている。このような移動通信端末機は、ウェブブラウザなどのような様々なアプリケーションを実現するための多様なプロトコル（例えば、ＰＰＰ（Point-to-Point Protocol）、ＩＰ（Internet Protocol）、ＴＣＰ（Transmission Control Protocol）など）を適用している。ここで、プロトコルとは、ネットワークソフトウェアの核心として、２つ以上の通信個体間に交換されるメッセージの形態、意味及び伝送順序、並びにメッセージ送受信及びその他の事件に行う動作を定義した規約をいい、これらの垂直的な階層構造をプロトコルスタックという。
【０００４】
移動通信端末機は、通信ポートを介してＰＣ（Personal Computer）に連結されてデータを送信または受信するが、通常、通信ポートとしては、ＵＡＲＴ（Universal Asynchronous Receiver Transmitter）を使用する。ここで、ＵＡＲＴは、非同期シリアル通信を処理するための装置であって、シリアルビットデータを所定単位のパラレルビットデータに変換するか、または所定単位のパラレルビットデータをシリアルビットデータに変換する。
【０００５】
従って、使用者は、移動通信端末機のＵＡＲＴポートとＰＣの通信ポートとをＲＳ−２３２Ｅケーブルを介して連結して、移動通信端末機を利用したＰＰＰ接続失敗などの問題が発生した場合、デバッギングツールなどを利用するＰＣを通して、無線インターネットをするためのウェブブラウザなどのアプリケーションで使用するプロトコルスタックを点検し、その点検結果によって移動通信端末機をデバッギングすることができる。
【発明の開示】
【発明が解決しようとする課題】
【０００６】
しかしながら、従来の移動通信端末機のデバッギング方法においては、移動通信端末機のＵＡＲＴポートとＰＣの通信ポートとをＲＳ−２３２Ｅケーブルを介して連結して、デバッギングツールなどを利用するＰＣを通して移動通信端末機の問題点を検出するため、別途の装置なしでは移動通信端末機の問題点を把握できないという不都合な点があった。
【０００７】
本発明は、このような従来技術の不都合な点を解決するためになされたもので、プロトコルデータユニットを形成し、該形成されたプロトコルデータユニットを予め決定されたフォーマットに変換し、該変換されたプロトコルデータユニットをディスプレイすることにより、別途の検出装置なしでリアルタイムに移動通信端末機の問題点を把握できる移動通信端末機のデバッギング装置及びその方法を提供することを目的とする。
【課題を解決するための手段】
【０００８】
このような目的を達成するために、本発明による移動通信端末機のデバッギング装置は、使用者により選択的に形成されたプロトコルデータユニットを予め決定されたフォーマットに変換し、該変換したプロトコルデータユニットをディスプレイする移動通信端末機と、前記移動通信端末機に連結され、前記ディスプレイされたプロトコルデータユニットに基づいて前記移動通信端末機をデバッギングするコンピュータとを含むことを特徴とする。
【０００９】
また、本発明による移動通信端末機のデバッギング方法は、移動通信端末機のプロトコルスタックから１つのプロトコル階層を選択する段階と、前記選択されたプロトコル階層のプロトコルデータユニットを形成する段階と、前記形成されたプロトコルデータユニットを予め決定された方法で圧縮し、該圧縮したプロトコルデータユニットを予め決定されたフォーマットに変換する段階と、前記変換されたプロトコルデータユニットをディスプレイする段階と、前記ディスプレイされたプロトコルデータユニットに基づいて前記移動通信端末機をデバッギングする段階とを含むことを特徴とする。
【発明の効果】
【００１０】
本発明による移動通信端末機のデバッギング装置及び方法においては、プロトコルデータユニットを形成し、該形成されたプロトコルデータユニットを予め決定されたフォーマットに変換し、該変換されたプロトコルデータユニットをディスプレイすることにより、別途の装置なしでリアルタイムに移動通信端末機の問題点を把握できるという効果がある。
【発明を実施するための最良の形態】
【００１１】
以下、プロトコルデータユニットを形成し、該形成されたプロトコルデータユニットを予め決定されたフォーマットに変換し、該変換されたプロトコルデータユニットをディスプレイすることにより、別途の検出装置なしでリアルタイムに移動通信端末機の問題点を把握できるようにした本発明による移動通信端末機のデバッギング装置及びその方法の実施例を、添付の図面を参照して説明する。
【００１２】
図１は、本発明による移動通信端末機のデバッギング装置を示すブロック図である。
【００１３】
図１に示すように、本発明による移動通信端末機のデバッギング装置は、使用者により選択的に形成されたプロトコルデータユニットを予め決定されたフォーマットに変換し、該変換されたプロトコルデータユニットをディスプレイする移動通信端末機１０と、移動通信端末機１０に連結され、ディスプレイされたプロトコルデータユニットに基づいて移動通信端末機１０をデバッギングするＰＣ２０とを含む。
【００１４】
ここで、移動通信端末機１０は、プロトコルデータユニットを予め決定された方法で圧縮し、この圧縮したプロトコルデータユニットを予め決定されたフォーマットに変換する変換部１１と、変換されたプロトコルデータユニットをディスプレイ装置（図示せず）に出力する出力部１２と、変換部１１及び出力部１２を制御する制御部１３とを含む。
【００１５】
移動通信端末機１０のＵＡＲＴポートとＰＣ２０の通信ポートとをＲＳ−２３２Ｅケーブルを介して連結することで、使用者は、移動通信端末機１０を通してディスプレイされたプロトコルデータユニットを分析し、その分析結果によって、ＰＣ２０を通して移動通信端末機１０をデバッグする。
【００１６】
以下、このように構成された本発明による移動通信端末機のデバッギング装置の動作を図２を参照して説明する。
【００１７】
図２は、本発明による移動通信端末機のデバッギング方法を示すフローチャートである。
【００１８】
図２に示すように、本発明による移動通信端末機のデバッギング方法は、移動通信端末機のプロトコルスタックから１つのプロトコル階層を選択する段階（ステップＳ２１）と、選択されたプロトコル階層のプロトコルデータユニットを形成する段階（ステップＳ２２）と、形成されたプロトコルデータユニットを予め決定された方法で圧縮し、この圧縮されたプロトコルデータユニットを予め決定されたフォーマットに変換する段階（ステップＳ２３）と、変換されたプロトコルデータユニットをディスプレイする段階（ステップＳ２４）と、ディスプレイされたプロトコルデータユニットに基づいて移動通信端末機をデバッギングする段階（ステップＳ２５）とを含む。
【００１９】
以下、このような本発明による移動通信端末機のデバッギング方法をより詳しく説明する。
【００２０】
まず、移動通信端末機１０は、移動通信端末機の開発者等により使用される、移動通信端末機１０に関連する各種パラメータ値を表示する予め決定された画面（以下、エンジニア画面という）を有するため、開発者等は予め決定された暗号値により移動通信端末機１０にエンジニア画面をディスプレイさせることができる。
【００２１】
使用者により、移動通信端末機１０のエンジニア画面上にディスプレイされたプロトコルスタックから、デバッギングしようとする１つのプロトコル階層が選択されると（ステップＳ２１）、移動通信端末機１０は、選択されたプロトコル階層のプロトコルデータユニットを形成する。このプロトコルデータユニットは、２つのエンティティ（構成要素）間で互いに交換される利用者情報（例えば、制御情報、住所情報、データなど）を伝送するための単位データであって、上位階層情報及びプロトコルヘッダー情報を含む（ステップＳ２２）。
【００２２】
その後、移動通信端末機１０は、形成されたプロトコルデータユニットを予め決定された方法で圧縮し、この圧縮したプロトコルデータユニットを予め決定されたフォーマットに変換する（ステップＳ２３）。ここで、予め決定されたフォーマットは、移動通信端末機１０のディスプレイ装置にディスプレイするのに適したフォーマットであることが好ましい。
【００２３】
その後、移動通信端末機１０は、変換されたプロトコルデータユニットを移動通信端末機１０のエンジニア画面上にディスプレイする（ステップＳ２４）。ここで、ディスプレイ装置は、ＬＣＤ（Liquid Crystal Display）であることが好ましい。
【００２４】
以下、このようにディスプレイされるプロトコルデータユニットについて、図３（Ａ）及び図３（Ｂ）を参照して説明する。
【００２５】
図３（Ａ）及び図３（Ｂ）は、本発明によるプロトコルデータユニットのディスプレイ形態を示す図である。
【００２６】
図３（Ａ）及び図３（Ｂ）に示すように、移動通信端末機１０のエンジニア画面上で、ＴＣＰ及びＰＰＰ階層のプロトコルデータユニットが変化されてディスプレイされたことが分かる。
【００２７】
よって、使用者は、ディスプレイされたプロトコルデータユニットを分析して移動通信端末機１０の問題点を把握し、その把握した問題点に基づいて移動通信端末機１０をデバッギングする（ステップＳ２５）。即ち、使用者は、分析結果によって、移動通信端末機１０内の問題であるか、移動通信端末機１０が属しているネットワークの問題であるかなどを容易に把握することができ、これにより適切な対処をすることができる。
【００２８】
従って、本発明による移動通信端末機のデバッギング装置及びその方法は、移動通信端末機において、ウェブブラウザなどのアプリケーションに使用されるプロトコルスタックに対するデバッギングを、別途の装置を使用せずに容易に行うために、プロトコルスタックの各プロトコルデータユニットを予め決定されたフォーマットに変換し、移動通信端末機のエンジニア画面上に出力することにより実現される。
【図面の簡単な説明】
【００２９】
【図１】本発明による移動通信端末機のデバッギング装置を示すブロック図である。
【図２】本発明による移動通信端末機のデバッギング方法を示すフローチャートである。
【図３（Ａ）】本発明によるプロトコルデータユニットのディスプレイ形態を示す図である。
【図３（Ｂ）】本発明によるプロトコルデータユニットのディスプレイ形態を示す図である。
【符号の説明】
【００３０】
１０ 移動通信端末機
２０ ＰＣ
１１ 変換部
１２ 出力部
１３ 制御部
【図１】
2006195965.tif 000003
【図２】
2006195965.tif 000004
【図３（Ａ）】
2006195965.tif 000005
【図３（Ｂ）】
2006195965.tif 000006